(57)【要約】【課題】本発明は、輪転印刷機におけるニッピングローラ凸状部９２の磨耗段差部９７へのウエブ１１乗り上げを防止するとともに、磨耗部品であるニッピングローラカラー９１の交換を安価、かつ容易に行いえるニッピングローラを提供することを目的とする。【解決手段】軸端に駆動手段を備え、駆動力によりウェブに張力を与える輪転印刷機のニッピングローラにおいて、前記ニッピングローラの両軸端側に設けられ、ウェブを挟持するニッピングローラカラーと、前記ニッピングローラカラーに設けられた２箇所の凸状部と、該両凸状部の間に設けられた逃げ溝とを備えたことにより、ニッピングロ−ラカラーの凸状部が磨耗しても磨耗段差部の形状変化の大部分は逃げ溝の範囲に入るので、段差部に係るウェブの張力不安定、紙破れ、しわなどの発生頻度が大幅に減少する。【選択図】      図１
2005001785.tif 000002
【特許請求の範囲】
【請求項１】
軸端に駆動手段を備え、駆動力によりウェブに張力を与える輪転印刷機のニッピングローラにおいて、前記ニッピングローラの両軸端側に設けられ、ウェブを挟持するニッピングローラカラーと、前記ニッピングローラカラーに設けられた２箇所の凸状部と、該両凸状部の間に設けられた逃げ溝と、を備えたことを特徴とする輪転印刷機のニッピングローラ。
【請求項２】
前記逃げ溝を中心にニッピングローラカラーを線対象な同一形状にしたことを特徴とする請求項１記載の輪転印刷機のニッピングローラ。
【請求項３】
前記分割した各ニッピングローラカラーが当接する面に嵌合凹部又は凸部を設け、軸方向に分割可能に設けたことを特徴とする請求項３記載の輪転印刷機のニッピングローラ。
【請求項４】
ウェブを送り出す給紙部と、前記給紙部からのウェブに印刷する印刷部と、前記印刷部から搬送されたウェブを裁断し、所定の折帳にて搬出する折部とを備えた輪転印刷機において、前記折機に備えられ、ウェブに折り目をつけるニッピングローラの両軸端にウェブを挟持するニッピングローラカラーと、該ニッピングローラカラーの略中央部に設けられた逃げ溝と、該逃げ溝を中心に線対称に設けられた２箇所の凸状部と、を有することを特徴とする輪転印刷機。
【発明の詳細な説明】
【０００１】
【発明の属する技術分野】
本発明は、輪転機において、折機の三角板を通過したウェブに折り目をつけながら送り出すニッピングローラに関する。
【０００２】
【従来の技術】
従来のニッピングローラについて、図５乃至図１０に基づいて説明する。図５は新聞用輪転印刷機の概略図で、図６は新聞輪転印刷機の折機の構成を示す概略図、図７は三角板とリードインローラ及びニッピングローラとの位置関係を示す斜視図である。また、図８は従来のニッピングローラの使用状態を示す概略図で、図９は従来のニッピングローラカラーの凸状部が磨耗した状態を示す概略図、図１０は従来のニッピングローラカラーの凸状部が磨耗した状態を示す拡大図である。
【０００３】
図５に示すごとく一般的な輪転印刷機において、給紙装置１からウェブ１１を送り出し、印フィード装置２で安定したテンションのウェブ１１を印刷装置３へ供給し、該印刷装置３で印刷された後、ウェブパス装置５にて適当な位置にドラグローラ４を設け、ウェブに適当なテンションを与えながら搬送し、折機６で所望の折丁にして排出する。連続したウェブ１１に良好な印刷をするためには、常にウェブ１１に適当なテンションを与えておく必要がある。印刷後重ねられたウェブ１１は、図６に示すように三角板７で縦方向に二つ折りされ、リードインローラ８、ニッピングローラ９を経由して縦方向折り目をつけるとともに、折胴１２、鋸胴１３間に送り込み、断裁され、折られて折丁として排出される。このように、折機６においては折胴１２、鋸胴１３間で断裁されるため、高い張力をウェブ１１に与えることはできない。
【０００４】
そこで、まだ連続しているウェブ１１をしっかり挟持し、送り出す必要がある。ニッピングローラ９は、対になっており図示しない駆動装置で駆動され、対のニッピングローラ９間は、押し付け程度を調節できるようになっており、間を通過するウェブ１１を挟んで必要な速度で送り出すようになっている。ニッピングローラ９の設置数は複数組設けることがある。図８に示すようにニッピングローラ９部分では、ウェブ１１が重ねられ縦方向に二つ折りされている袋側１１１と、折られた側ではないぺら側１１２を挟んで送り出すことになる。従って、ニッピングローラ９はウェブ１１を全幅全面で押さえると、袋側１１１とぺら側１１２の厚さが異なり、また、ウエブ１１の伸び方も異なるため、ニッピングローラ９間でしわができ、走行も不安定になる。したがって、ニッピングローラ９は、ウエブ１１の幅Ｗの両側のみを押さえて送り出すようにしている。
【０００５】
上述のように僅かな押し付け長さでウエブ１１を挟持し、引っ張るのでこの部分が磨耗しやすい。磨耗するとウエブ１１を引っ張る速度が相対的に遅くなるのでウエブテンションが低下し、折精度が悪化し、印刷品質に影響が出るようになる。そこで該当部分が磨耗してもニッピングローラ９全体を交換することなく、比較的安価に復元させるために、磨耗する部分を別体にし、交換部品を小さくし、また、再使用が可能なように工夫されている。
【０００６】
図８に示すように、ニッピングローラ９はニッピングローラ本体９０の軸方向両側にニッピングローラカラー９１が組み付けられている。ニッピングローラカラー９１は図８中（ａ）に示すように２分割されローラ本体の軸部９６に締め付けられている。ニッピングローラカラー９１には凸部９２と逃げ部９３があり、ニッピングローラ本体９０の胴中部は前記逃げ部９３と同寸法の径になっている。
【０００７】
このように、凸状部９２の幅を２Ｌとし、ウエブ１１の幅Ｗの両側縁部（袋側１１１，べら側１１２）のそれぞれＬ寸法を押さえて、折胴１２、鋸胴１３へ送り出すよう構成されたものがある。このように、ニッピングローラカラー９１の凸状部９２における外縁端間の幅をウエブ１１の幅Ｗより広くし、使用している凸状部９２が磨耗するとニッピングローラカラー９１の向きを軸方向に１８０度反転して残部の凸状部を使用するようにしたものである。（例えば、特許文献１を参照）
【０００８】
【特許文献１】
特許第３３５２０７１号
【０００９】
【発明が解決しようとする課題】
ニッピングローラカラー９１の凸状部９２には、ウエブ１１の通過磨耗による段差部９７ができるが、該磨耗による段差部９７の位置、すなわち、ウエブ１１幅Ｗの両側縁部は縦方向に二つ折りする三角板７の先端７１位置を調節することにより変わってくる。該三角板７の先端７１位置は、ウエブ１１の重ね枚数、その他の運転状態変化により、三角板先端７１部分でウェブ１１に折りシワや破れが発生しないよう、図示しない調節装置で調整している。
【００１０】
このように、ウエブ１１の走行位置の変化で凸状部９２の磨耗する位置がずれるため、磨耗段差部９７は必ずしもきれいな階段状にはならない。また、通過するウエブ１１の位置が図１０の二点鎖線に示すように凸状部９２の片方にずれると、端部が磨耗していない部分に乗ることがある。このようになると、ウエブ１１を引っ張る速度がウエブ１１の幅Ｗの両側縁部（袋側１１１，べら側１１２）で異なるため、ウエブ１１の張力が不安定になり、走行経路が不安定になったり、紙端破れ、しわなどが発生する。
【００１１】
本発明は上記の点に鑑みなされたものであり、凸状部９２の磨耗段差部９７へのウエブ１１の乗り上げを防止するとともに、磨耗部品であるニッピングローラカラー９１の交換を安価、かつ容易に行いえるニッピングローラ、及び該ニッピングローラを備えた輪転印刷機を提供することを目的とする。
【００１２】
【課題を解決するための手段】
上記課題を解決するために、請求項１に記載の本発明は、軸端に駆動手段を備え、駆動力によりウェブに張力を与える輪転印刷機のニッピングローラにおいて、前記ニッピングローラの両軸端側に設けられ、ウェブを挟持するニッピングローラカラーと、前記ニッピングローラカラーに設けられた２箇所の凸状部と、該両凸状部の間に設けられた逃げ溝と、を備えたことを特徴とする。
【００１３】
上記構成によれば、ニッピングロ−ラカラーの凸状部が磨耗した場合、磨耗段差部の形状変化の大部分は逃げ溝の範囲に入るので、段差部に係るウェブの張力不安定、紙破れ、しわなどの発生頻度が大幅に減少される。また、該段差部不具合をクリアするため、ニッピングローラカラーの交換寿命が大幅に向上される。
【００１４】
また、上記課題を解決するために、請求項２に記載の本発明は、請求項１に記載の本発明において、前記逃げ溝を中心にニッピングローラカラーを線対象な同一形状にしたことを特徴とする。
【００１５】
上記構成によれば、ニッピングローラカラーの逃げ溝を中心に線対象な同一形状とすることで、互換性の幅が広がり、何らかの原因で片側だけしか使用できない場合においても、保管しているものが使用できる可能性が増大し、互換性の向上による保管スペース、廃却損失の削減につながる。さらには、資材が節減され、費用の節減となる。
【００１６】
また、上記課題を解決するために、請求項３に記載の本発明は、請求項１に記載の本発明において、前記分割した各ニッピングローラカラーが当接する面に嵌合凹部又は凸部を設け、軸方向に分割可能に設けたことを特徴とする。
【００１７】
上記構成によれば、互換性の幅がさらに広がるとともに、ニッピングローラカラーの交換作業が容易、かつ安価となるため、費用を節減することができる。
【００１８】
また、上記課題を解決するために、請求項４記載の本発明は、ウェブを送り出す給紙部と、前記給紙部からのウェブに印刷する印刷部と、前記印刷部から搬送されたウェブを裁断し、所定の折帳にて搬出する折部とを備えた輪転印刷機において、前記折機に備えられ、ウェブに折り目をつけるニッピングローラの両軸端にウェブを挟持するニッピングローラカラーと、該ニッピングローラカラーの略中央部に設けられた逃げ溝と、該逃げ溝を中心に線対称に設けられた２箇所の凸状部と、を有することを特徴とする。
【００１９】
上記構成によれば、段差部に係るウェブの張力不安定、紙破れ、しわなどの発生頻度が大幅に減少されるため、損紙を低減でき、輪転印刷機の運転効率、信頼性が向上される。
【００２０】
【発明の実施の形態】
本発明の実施の形態を図１乃至図４に基づいて説明する。なお、前記した従来のものと同一の部位については図中同一の符号を付して示し、重複する説明は省略する。
図１乃至図３は実施例１に係るニッピングローラの構成図で、図１は当初の使用状態を示す平面図、図２は凸状部９２が磨耗した状態を示す平面図で、図３はニッピングローラカラー９１を交換した状態を示す平面図である。また、図４は他の実施例に係るニッピングローラカラーの概略図である。
【００２１】
図１において、ニッピングローラ９’を示し、９１’はニッピングローラカラーである。ニッピングローラカラー９１’は凸状部９２’を９２ａ’、９２ｂ’の２箇所設け、９２ａ’と９２ｂ’の間に逃げ溝９８が設けられている。なお、ニッピングローラカラー９１’の両側縁部には従来と同様に逃げ部９３がある。
【００２２】
図１に示すように、幅方向の寸法は凸状部９２’の幅をＬｓ、逃げ溝９８の幅をｇ、逃げ溝９８の中央を中心に左右対称とした凸状部９２´の両端部までの寸法をＣとしている。ニッピングローラカラー９１’の内径ｄは、ニッピングローラ本体９０’のローラ軸部９６´の外径と略同一で、ニッピングローラカラー９１’は図１中（ａ）に示すように円周方向に二分割されており、該分割部を締付けボルト等で締め付けることによりニッピングローラ本体９０’から駆動力をカラー９１’に伝えることができるようになっている。また、分割締付け個所は、ウェブ１１に接する凸状部９２´以外の両側縁部（例えば逃げ部９３）に設けられている。
【００２３】
ただし、本分割ニッピングローラカラー９１´の構造は、ニッピングローラカラー９１´の交換を容易にする一手段であり、その他の実施例として、ニッピングローラカラー９１´を一体構造とし、止めネジ或いはキーによりニッピングローラ９０´へ固定する構成としても良い。
【００２４】
また、ニッピングローラ９’の軸方向両側（Ｘ側、Ｙ側）のニッピングローラカラー９１’は同一形状とすることで、互換性を持たせることが出来る。
また、図４に示すように、ニッピングローラカラー９１´の逃げ溝９８を中心に軸方向に線対称に分割し、該分割された各ニッピングローラカラー９１´を締付けボルト等で締め付けることによりニッピングローラ本体９０’から駆動力をニッピングローラカラー９１’に伝えることができるようになっている。
【００２５】
さらに、軸方向に分割構造とした各ニッピングローラカラー９１´が当接する面（逃げ溝９８側）に嵌合凹部又は凸部を設けることにより、ニッピングローラ本体９０´への締付け個所は、ウェブ１１に接する凸状部９２´以外の両側縁部（例えば逃げ部９３）のみに設けるだけでよい。
【００２６】
なお、ニッピングローラ９´のＸ側、Ｙ側のニッピングローラカラー９１’の軸方向位置は、ウエブ１１幅Ｗの両側縁部の袋側１１１、及びべら側１１２に対し、挟持する凸状部９２ａ’及び９２ｂ´の逃げ溝９８側端面が通常通過するよう三角板７の先端部８位置を調節する。
【００２７】
図２（ａ）の点線部は、従来の逃げ溝の無い場合の磨耗段差部９７を示すが、逃げ溝がある場合、実線で示す段差部９７’のように、磨耗段差部９７´の高い所は早く磨耗しやすくなり、段差の成長が緩やかになる。したがって、該段差部９７’にウエブ１１が乗ってウェブ１１の張力が不安定になることにより引き起こす影響は、従来と比較してはるかに小さくなり、ニッピングローラカラー９２´の交換寿命が大幅に伸びる。
【００２８】
加えて、ニッピングローラ９’の両側のカラー９１’を同一にしているので図２のようにニッピングローラカラー９１’が磨耗して交換する場合、図３中（ａ）に示すように右側のニッピングローラカラー９１’の９４ｙ、９５ｙ面をそのまま左側に取り付け、左側の９４ｘ、９５ｘ面をそのまま右側に取り付けることができる。また、図３中（ｂ）に示すようにＸ側、Ｙ側それぞれのカラー９１’の向きを１８０度反転させて取り付けることもできる。これによりニッピングローラカラー９２´の互換性の幅が広がり、費用節減の可能性が向上する。
【００２９】
上述したようにカラー９１’の凸部９２’を２個所設け、該両凸状部９２´の間に逃げ溝９８を設けたことにより、ウエブ１１の張力が常に安定し、走行経路が安定するので、紙端破れ、しわなどの発生が抑制される。
また、ニッピングローラ９’の軸方向両側のニッピングローラカラー９１’を同一形状にし互換性を持たせたことにより、交換部品が節減され、また交換作業量が軽減され、しいては費用の節減になる。
【００３０】
【発明の効果】
以上説明したように、請求項１記載の本発明によれば、ニッピングロ−ラカラーの凸状部が磨耗した場合、磨耗段差部の形状変化の大部分は逃げ溝の範囲に入るので、段差部に係るウェブの張力不安定、紙破れ、しわなどの発生頻度が大幅に減少される。また、該段差部不具合をクリアするため、ニッピングローラカラーの交換寿命が大幅に向上される。
【００３１】
また、請求項２に記載の本発明によれば、ニッピングローラカラーの逃げ溝を中心に線対象な同一形状とすることで、互換性の幅が広がり、何らかの原因で片側だけしか使用できない場合においても、保管しているものが使用できる可能性が増大し、互換性の向上による保管スペース、廃却損失の削減につながる。さらには、資材が節減され、費用の節減となる。
【００３２】
また、請求項３に記載の本発明によれば、互換性の幅がさらに広がるとともに、ニッピングローラカラーの交換作業が容易、かつ安価となるため、費用を節減することができる。
【００３３】
また、請求項４記載の本発明によれば、段差部に係るウェブの張力不安定、紙破れ、しわなどの発生頻度が大幅に減少されるため、損紙を低減でき、輪転印刷機の運転効率、信頼性が向上される。
【図面の簡単な説明】
【図１】本発明の実施の形態に係るニッピングローラの当初の使用状態を示す概略図である。
【図２】本発明の実施の形態に係るニッピングローラカラーの凸状部が磨耗した状態を示す概略図である。
【図３】本発明の実施の形態に係るニッピングローラカラーを交換した状態を示す概略図である。
【図４】本発明の他の実施の形態に係るニッピングローラカラーの概略図である。
【図５】一般的な新聞用輪転印刷機の概略図である。
【図６】新聞輪転印刷機の折機の概略を示す概略図である。
【図７】三角板とリードインローラ及びニッピングローラとの位置関係を示す斜視図である。
【図８】従来のニッピングローラの使用状態を示す概略図である。
【図９】従来のニッピングローラカラーの凸状部が磨耗した状態を示す概略図である。
【図１０】従来のニッピングローラカラーの凸状部が磨耗した状態を示す拡大図である。
【符号の説明】
１  給紙装置
２  インフィード装置
３  印刷装置
４  ドラグローラ
５  ウエブパス装置
６  折機
７  三角板
８  リードインローラ
９  ニッピングローラ
１１  ウエブ
１２  折胴
１３  鋸胴
７１  三角板先端
９０  ニッピングローラ本体
９１  ニッピングローラカラー
９２  凸状部
９３  逃げ部
９４  端面Ａ
９５  端面Ｂ
９６  ローラ本体軸部
９７  磨耗段差部
９８  逃げ溝
１１１  袋側
１１２  ぺら側
【図１】
2005001785.tif 000003
【図２】
2005001785.tif 000004
【図３】
2005001785.tif 000005
【図４】
2005001785.tif 000006
【図５】
2005001785.tif 000007
【図６】
2005001785.tif 000008
【図７】
2005001785.tif 000009
【図８】
2005001785.tif 000010
【図９】
2005001785.tif 000011
【図１０】
2005001785.tif 000012